(57)【要約】【課題】  本発明は鍵穴にキーを差し込んで回転させた状態を表示できるとともに、ポケット内でその表示が変化したりするのを確実に防止できる安価な機械式のキーおよびキーホルダーを得るにある。【解決手段】  可動ケース挿入孔が形成されたケース体と、このケース体の可動ケース挿入孔内に付勢スプリングで突出方向に付勢された軸心方向にスライド移動でき、かつ軸心と直角方向に回動可能に取付けられたキー本体挿入孔が形成された可動ケースと、この可動ケースの左右方向の回動状態をロックすることができる係合ピン、この係合ピンと係合する２個の係合部を有する係合溝とからなるロック機構と、可動ケースの左右方向の回動状態を表示する、ケース体に形成された透孔を用いた表示部と、可動ケースのキー本体挿入孔に挿入固定されたキー本体とでキーを構成している。【選択図】  図２
2010101084.tif 000002
【特許請求の範囲】
【請求項１】
可動ケース挿入孔が形成されたケース体と、このケース体の可動ケース挿入孔内に付勢スプリングで突出方向に付勢された軸心方向にスライド移動でき、かつ軸心と直角方向に回動可能に取付けられたキー本体挿入孔が形成された可動ケースと、この可動ケースの左右方向の回動状態をロックすることができる係合ピン、この係合ピンと係合する２個の係合部を有する係合溝とからなるロック機構と、前記可動ケースの左右方向の回動状態を表示する、前記ケース体に形成された透孔を用いた表示部と、前記可動ケースのキー本体挿入孔に挿入固定されたキー本体とからなるキー。
【請求項２】
ケース体の側面にはロック機構の左右方向の回動状態をロックする２個の係合部を有する係合溝および表示部の透孔が形成されるとともに、このケース体の側面と対応する可動ケースの外側面には、前記左右方向の回動状態をロックする係合溝の２個の係合部と係合する係合ピンおよび、該可動ケースが左右方向の回動状態でロックされると、前記透孔より見える部位に異なる状態の表示を行なう表示手段が設けられていることを特徴とする請求項１記載のキー。
【請求項３】
ケース体の可動ケース挿入孔はトラック形状で、両端部は中央部を支点とした円弧形状に形成され、可動ケースの両端部は可動ケース挿入孔の両端部と隙間なく回動できる輪郭形状に形成されていることを特徴とする請求項１記載のキー。
【請求項４】
可動ケースのキー本体挿入孔にはアダプターを介して着脱自在にキー本体が挿入固定されていることを特徴とする請求項１記載のキー。
【請求項５】
可動ケース挿入孔の開口端部より外方へ先端部が突出し、解錠、施錠時に鍵によって反突出方向に移動しないと解錠、施錠ができないスプリングで付勢されたレバーを用いたロック機構の誤作動防止機構が可動ケースに設けられていることを特徴とする請求項１記載のキー。
【請求項６】
可動ケース挿入孔が形成されたケース体と、このケース体の可動ケース挿入孔内に軸心方向にスライド移動でき、かつ軸心と直角方向に回動可能に取付けられたキー本体挿入孔が形成された可動ケースと、この可動ケースの左右方向の回動状態をロックすることができるとともに、可動ケースのケース体からの抜け脱を防止する係合ピン、この係合ピンと係合する２個の係合部を有する係合溝とからなるロック機構と、前記可動ケースの左右方向の回動状態を表示する前記ケース体に形成された透孔を用いた表示部とからなることを特徴とするキーホルダー。
【発明の詳細な説明】
【技術分野】
【０００１】
本発明は主に玄関錠を開閉するキーおよびキーホルダーに関する。
【背景技術】
【０００２】
従来の玄関錠は鍵穴にキーを差し込み、所定角度回転させ、その後、鍵穴よりキーを引き抜くことで施錠を行なっていた。しかしながら、外出先で施錠してきたのか、忘れたのかを知ることができないという欠点があった。
この欠点を解消するために、鍵の持ち手部分を内部に収納し固定する収納固定部を有し、その切り込み部を外部に突出させる切欠部を有する筺体と、この筺体に設けられ、かつ、ノック軸が前記筺体の外部であって前記鍵の切り込み部の側方に突出するとともに、前記ノック軸を一度押すと押し込んだ状態を保ち、もう一度押すと、元に戻る機構からなるノック式機構とを備えたことを特徴とするキーホルダーが考えられている。
【０００３】
しかしながら、このようなキーホルダーは安価で構造が簡単であるが、ノック式ボールペンと同じ原理でノック軸が出没するため、ポケット内でノック軸が移動して誤表示になってしまうという欠点があった。
【特許文献１】特開２００７−３０９０８６
【発明の開示】
【発明が解決しようとする課題】
【０００４】
本発明は以上のような従来の欠点に鑑み、鍵穴にキーを差し込んで回転させた状態を表示できるとともに、ポケット内でその表示が変化したりするのを確実に防止できる安価な機械式のキーおよびキーホルダーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は可動ケース挿入孔が形成されたケース体と、このケース体の可動ケース挿入孔内に付勢スプリングで突出方向に付勢された軸心方向にスライド移動でき、かつ軸心と直角方向に回動可能に取付けられたキー本体挿入孔が形成された可動ケースと、この可動ケースの左右方向の回動状態をロックすることができる係合ピン、この係合ピンと係合する２個の係合部を有する係合溝とからなるロック機構と、前記可動ケースの左右方向の回動状態を表示する、前記ケース体に形成された透孔を用いた表示部と、前記可動ケースのキー本体挿入孔に挿入固定されたキー本体とでキーを構成している。
【０００７】
本発明は可動ケース挿入孔が形成されたケース体と、このケース体の可動ケース挿入孔内に軸心方向にスライド移動でき、かつ軸心と直角方向に回動可能に取付けられたキー本体挿入孔が形成された可動ケースと、この可動ケースの左右方向の回動状態をロックすることができるとともに、可動ケースのケース体からの抜け脱を防止する係合ピン、この係合ピンと係合する２個の係合部を有する係合溝とからなるロック機構と、前記可動ケースの左右方向の回動状態を表示する前記ケース体に形成された透孔を用いた表示部とでキーホルダーを構成している。
【発明の効果】
【０００８】
以上の説明から明らかなように、本発明にあっては次に列挙する効果が得られる。
【０００９】
（１）可動ケース挿入孔が形成されたケース体と、このケース体の可動ケース挿入孔内に付勢スプリングで突出方向に付勢された軸心方向にスライド移動でき、かつ軸心と直角方向に回動可能に取付けられたキー本体挿入孔が形成された可動ケースと、この可動ケースの左右方向の回動状態をロックすることができる係合ピン、この係合ピンと係合する２個の係合部を有する係合溝とからなるロック機構と、前記可動ケースの左右方向の回動状態を表示する、前記ケース体に形成された透孔を用いた表示部と、前記可動ケースのキー本体挿入孔に挿入固定されたキー本体とで構成されているので、鍵穴にキー本体を差し込み、可動ケースをケース体の可動ケース挿入孔内へ押し込み、解錠あるいは施錠方向へ回動させると可動ケースがケース体内で回動させることができ、キー本体を鍵穴より抜き取るとロック機構で可動ケースのケース体内での回動位置をロックすることができ、ケース体の透孔を用いた表示部にその状態を表示することができる。
したがって、ケース体の透孔を用いた表示部の表示で、解錠あるいは施錠した状態を確認することができる。
【００１０】
（２）前記（１）によって、ケース体の可動ケース挿入孔に挿入された可動ケースは付勢スプリングで突出方向に付勢されているので、係合ピンと係合溝とからなるロック機構のロック状態を意識的に操作しなければ、変わるのを阻止することができる。
したがって、従来のようにポケット内で誤作動したりするのを確実に防止できる。
【００１１】
（３）前記（１）により、電気を用いることなく鍵穴にキー本体を差し込み回動させる解錠あるいは施錠操作だけの機械式構造であるので、安価に製造することができるとともに、普段行なっている操作だけで解錠あるいは施錠状態を知ることができる。
【００１２】
（４）請求項２も前記（１）〜（３）と同様な効果が得られるとともに、ケース体の側面に形成した透孔より解錠あるいは施錠の状態を確認することができる。
【００１３】
（５）請求項３は前記（１）〜（３）と同様な効果が得られるとともに、ケース体内の可動ケースをガタつくことなくスムーズに回動させることができる。
【００１４】
（６）請求項４は前記（１）〜（３）と同様な効果が得られるとともに、アダプターによって、確実にどんなキー本体でも着脱可能に可動ケースに取付けることができる。
【００１５】
（７）請求項５は前記（１）〜（３）と同様な効果が得られるとともに、ロック機構の誤作動防止機構のスプリングで、外方へ突出するように設けられたレバーをスプリングの付勢力に抗して押し圧しなければ解錠あるいは施錠することができないので、確実に鍵の解錠あるいは施錠を行なうことができる。
【発明を実施するための最良の形態】
【００１６】
以下、図面に示す本発明を実施するための最良の形態により、本発明を詳細に説明する。
【００１７】
図１ないし図１３に示す本発明を実施するための最良の第１の形態において、１は玄関のドア等の錠２を開閉する本発明のキーで、このキー１は両端部３、３が中央部を支点とした円弧形状に形成されたトラック状の可動ケース挿入孔４が形成されたケース体５と、このケース体５の可動ケース挿入孔４内に付勢スプリング６で突出方向に付勢された軸心方向にスライド移動でき、かつ軸心と直角方向に回動可能に取付けられたキー本体挿入孔７が形成された両側部が、該可動ケース挿入孔４の両端部３、３と面接触する円弧形状で両側面に隙間８、８を有すル可動ケース９と、この可動ケース９の左右方向の回動状態をロックするとともに、前記ケース体５内より可動ケース９の抜け脱を防止する、該可動ケース９の一方の端面に固定された係合ピン１０、この係合ピン１０と係合する前記ケース体５の一方の端面に形成された２個の係合部１１、１１を有する係合溝１２とからなるロック機構１３と、前記可動ケース９の左右方向の回動状態を表示する、該可動ケース９の一方の端面の中央部より一方側を着色した表示手段１４および前記ケース体５の一方の端面の中央部より一方側に前記表示手段１４の着色部分を見ることができるように形成された透孔１５とからなる表示部１６と、前記可動ケース９のキー本体挿入孔７に挿入状態で、該可動ケース９の他方の端面に形成された係合孔１７と係合する係合片１８および、キー本体１９の透孔２０と係合する係合片２１を有するアダプター２２を介して着脱可能に取付けられたキー本体１９と、前記可動ケース９の一方の側面に形成した凹部２３内に設けられたスプリング２４で、常時前記キー本体挿入孔７の開口端部より先端部が外方へ突出するレバー２５をカバーケース２６内に収納した、前記ロック機構１３の誤作動防止機構２７とで構成されている。
【００１８】
上記構成のキー１はキー本体１９を除いた部分がキーホルダー２８で、キー本体１９の頭部１９ａの透孔２０にアダプター２２の係合片２１を係合させた後、誤作動防止機構２７が取付けられた可動ケース９のキー本体挿入孔７へ差し込み、該アダプター２２の係合片１８が可動ケース９の係合孔１７と係合するように押し込み、キー本体１９と可動ケース９とを着脱可能に固定する。
しかる後、可動ケース９をケース体５の可動ケース挿入孔４内へ付勢スプリング６の付勢力に抗して押し込み、ケース体４の係合溝１２より可動ケース９に係合ピン１０を固定することにより、係合ピン１０が係合溝１２の係合部１１、１１のいずれかと当接することで、ケース体５より可動ケース９の抜け脱を防止できるように取付けられる。
【００１９】
このように組立てられたキー１は施錠するために鍵穴２ａにキー本体１９を差し込む。この時、誤作動防止機構２７のレバー２５をスプリング２４の付勢力に抗してケース体５内へ押し込むと、可動ケース９はケース体５内へ押し込まれ、ロック機構１３の係合ピン１０が係合溝１２の係合部１１から離れる。
この状態で、キー本体１９を時計廻りに回動するようにケース体５を回動させると、可動ケース９がケース体５内で回動し、表示部１６の表示が施錠状態を示すように変わり、鍵穴２ａよりキー本体１９を引き抜くと、可動ケース９は表示部１６の表示が変わることなく、付勢スプリング６の付勢力で外方へ突出するように軸心方向にスライド移動し、係合ピン１０を係合溝１２の係合部１１と係合する。
この施錠した状態を示すキー１を用いて鍵穴２ａにキー本体１９を差し込み、ケース体５内へ可動ケース９を付勢スプリング６の付勢力に抗して押し込み、係合ピン１０を係合溝１２の係合部１１との係合を解除し、反時計廻りに回動させることにより可動ケース９がケース体５内を回動し、表示部１６の表示が解錠状態を示すように変わり、鍵穴２ａよりキー本体１９を引き抜くと、可動ケース９は表示部１６の表示が変わることなく、付勢スプリング６の付勢力で外方へ突出するように軸心方向にスライド移動し、係合ピン１０を係合溝１２の係合部１１と係合する。
このため、キー１の表示部１６のケース体５の透孔１５より見ることができる表示により、ドア等の錠２が施錠しているかどうかを確認することができる。
[発明を実施するための異なる形態]
【００２０】
次に、図１４ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１４ないし図１９に示す本発明を実施するための第２の形態において、前記本発明を実施するための最良の第１の形態と主に異なる点は、可動ケース９の一方の端面に２個の係合部１１、１１を有する係合溝１２Ａを形成するとともに、ケース体５に前記２個の係合部１１、１１と係合する係合ピン１０を固定したロック機構１３Ａを用いた点で、このように構成したロック機構１３Ａを用いて構成したキーホルダー２８Ａおよびキー１Ａにしても、前記本発明を実施するための最良の第１の形態と同様な作用効果が得られる。
【００２２】
図２０ないし図２２に示す本発明を実施するための第３の形態において、前記本発明を実施するための最良の第１の形態と主に異なる点は、ケース体５の透孔を用いることなく、係合溝１２の一方の係合部１１に係合ピン１０が位置している場合には施錠状態であることを表示するＯＮの表示手段１４Ａにした表示部１６Ａを用いた点で、このような表示部１６Ａを用いて構成したキーホルダー２８Ｂおよびキー１Ｂにしても、前記本発明を実施するための最良の第１の形態と同様な作用効果が得られる。
【００２３】
図２３ないし図２５に示す本発明を実施するための第４の形態において、前記本発明を実施するための第３の形態と主に異なる点は、ケース体５の開口端部に一方の係合部に係合ピン１０が位置している施錠状態であることを表示する表示手段１４Ｂを形成した表示部１６Ｂを用いた点で、このような表示部１６Ｂを用いた構成したキーホルダー２８Ｃおよびキー１Ｃにしても、前記本発明を実施するための第３の形態と同様な作用効果が得られる。
なお、本発明の実施例の表示部１６Ｂと前記本発明の第２のロック機構１３Ａを用いることにより、ケース体５の一方の端部に透孔や係合溝の孔がなくなり、美観の向上や、故障の原因の低減を図ることができる。
【００２４】
図２６ないし図２８に示す本発明を実施するための第５の形態において、前記本発明を実施するための最良の第１の形態と主に異なる点は、可動ケース９を常時突出する方向に付勢する付勢スプリング６を少し付勢力の強いものを用いるとともに、誤作動防止機構を用いないで構成した点で、このように構成したキーホルダー２８Ｄおよびキー１Ｄにしても、前記本発明を実施するための最良の第１の形態と同様な作用効果が得られる。
【産業上の利用可能性】
【００２５】
本発明はキーおよびキーホルダーを製造する産業で利用される。
【図面の簡単な説明】
【００２６】
【図１】本発明を実施するための最良の第１の形態の平面図。
【図２】本発明を実施するための最良の第１の形態の正面図。
【図３】本発明を実施するための最良の第１の形態の左側面図。
【図４】本発明を実施するための最良の第１の形態のケース体の説明図。
【図５】本発明を実施するための最良の第１の形態の可動ケースの説明図。
【図６】本発明を実施するための最良の第１の形態のロック機構の説明図。
【図７】本発明を実施するための最良の第１の形態のアダプターの説明図。
【図８】本発明を実施するための最良の第１の形態の誤作動防止機構の説明図。
【図９】本発明を実施するための最良の第１の形態のアダプターとキー本体の取付け状態の説明図。
【図１０】本発明を実施するための最良の第１の形態のキー本体を可動ケースに取付ける状態の説明図。
【図１１】本発明を実施するための最良の第１の形態の可動ケースをケース体に取付ける状態の説明図。
【図１２】本発明を実施するための最良の第１の形態の施錠状態の説明図。
【図１３】本発明を実施するための最良の第１の形態の解錠状態の説明図。
【図１４】本発明を実施するための第２の形態の平面図。
【図１５】本発明を実施するための第２の形態の正面図。
【図１６】本発明を実施するための第２の形態の可動ケースの説明図。
【図１７】本発明を実施するための第２の形態のケース体の説明図。
【図１８】本発明を実施するための第２の形態の施錠状態のキーの説明図。
【図１９】本発明を実施するための第２の形態の解錠状態のキーの説明図。
【図２０】本発明を実施するための第３の形態の平面図。
【図２１】本発明を実施するための第３の形態の正面図。
【図２２】本発明を実施するための第３の形態の施錠状態のキーの説明図。
【図２３】本発明を実施するための第４の形態の平面図。
【図２４】本発明を実施するための第４の形態の正面図。
【図２５】本発明を実施するための第４の形態の施錠状態のキーの説明図。
【図２６】本発明を実施するための第５の形態の平面図。
【図２７】本発明を実施するための第５の形態の正面図。
【図２８】本発明を実施するための第５の形態の施錠状態のキーの説明図。
【符号の説明】
【００２７】
１、１Ａ、１Ｂ、１Ｃ、１Ｄ：キー、
２：錠、                      ３：両端部、
４：可動ケース挿入孔、        ５：ケース体、        
６：付勢スプリング、          ７：キー本体挿入孔、
８：隙間、                    ９：可動ケース、
１０：係合ピン、              １１：係合部、
１２、１２Ａ：係合溝、        １３、１３Ａ：ロック機構、
１４、１４Ａ、１４Ｂ：表示手段、
１５：透孔、                  １６、１６Ａ、１６Ｂ：表示部、
１７：係合孔、                １８：係合片、
１９：キー本体、              ２０：透孔、
２１：係合片、                ２２：アダプター、
２３：凹部、                  ２４：スプリング、
２５：レバー、                ２６：カバーケース、
２７：誤作動防止機構、
２８、２８Ａ、２８Ｂ、２８Ｃ、２８Ｄ：キーホルダー。
【図１】
2010101084.tif 000003
【図２】
2010101084.tif 000004
【図３】
2010101084.tif 000005
【図４】
2010101084.tif 000006
【図５】
2010101084.tif 000007
【図６】
2010101084.tif 000008
【図７】
2010101084.tif 000009
【図８】
2010101084.tif 000010
【図９】
2010101084.tif 000011
【図１０】
2010101084.tif 000012
【図１１】
2010101084.tif 000013
【図１２】
2010101084.tif 000014
【図１３】
2010101084.tif 000015
【図１４】
2010101084.tif 000016
【図１５】
2010101084.tif 000017
【図１６】
2010101084.tif 000018
【図１７】
2010101084.tif 000019
【図１８】
2010101084.tif 000020
【図１９】
2010101084.tif 000021
【図２０】
2010101084.tif 000022
【図２１】
2010101084.tif 000023
【図２２】
2010101084.tif 000024
【図２３】
2010101084.tif 000025
【図２４】
2010101084.tif 000026
【図２５】
2010101084.tif 000027
【図２６】
2010101084.tif 000028
【図２７】
2010101084.tif 000029
【図２８】
2010101084.tif 000030